(57)【特許請求の範囲】
【請求項１】
送風機を収納する空気調和装置本体と化粧パネルの間に設けられ塵埃を集塵する電気集塵器と、前記電気集塵器の少なくとも１側面に側面にほぼ平行に突出して固定され棒状又は溝状のエレメント取付け金具と、前記エレメント取付け金具に係合する溝状又は棒状の金具を設けると共に前記空調装置本体側に固定されたケース側取り付け部と、前記エレメント取付け金具のそばのエレメント側電極と、前記ケース側取り付け部のそばのケース側電極と、を備え、前記エレメント取付け金具を前記ケース側取り付け部に引っ掛けた後、前記エレメント取付け金具の反対側をネジで固定することにより、前記エレメント側電極と前記ケース側電極が接触して通電可能とすることを特徴とする空気調和装置。
【請求項２】
棒状又は溝状のエレメント取付け金具と溝状又は棒状のケース側取り付け部の金具は、溝の中で棒が回動及び移動可能に設けられたことを特徴とする請求項１記載の空気調和装置。
【請求項３】
棒状又は溝状のエレメント取付け金具と溝状又は棒状のケース側取り付け部の金具は、溝の中で棒が方向変更可能に溝がＬ字状に設けられたことを特徴とする請求項１記載の空気調和装置。
【請求項４】
電気集塵器のエレメント取付け金具が取手機能を兼ねていることを特徴とする請求項１記載の空気調和装置。
【請求項５】
棒状又は溝状のエレメント取付け金具と溝状又は棒状のケース側取り付け部の金具の係合する長さは、棒が溝とほぼ全長で係合することを特徴とする請求項１記載の空気調和装置。
【発明の詳細な説明】
【０００１】
【発明の属する技術分野】
本発明は天井埋め込み形のような空気調和装置に取付けられる電気集塵器の取付け構造に関するものである。
【０００２】
【従来の技術】
空気調和装置に取付けられる従来の電気集塵エレメントの例として、４方向天井カセット形室内機に取り付けられる電気集塵エレメントの取付け構造を説明する。４方向天井カセット形室内機に、集塵エレメントが取り付けられる場合、室内に面して化粧パネルを取付けて天井に据え付けられる。図８は従来の室内基本体内に収納される集塵エレメントの平面図、図９はこの側面図、図１０は室内機本体から集塵エレメント着脱する構造を説明する図、本体内に集塵エレメントが取り付いた状態を説明する図である。７は集塵エレメントを取付けるために室内機本体１に取付けられるケース、１０は室内機本体からの電気配線により通電され電気集塵を行う電気集塵エレメント本体、１１は集塵エレメント１０に設けられ集塵エレメントをケース７に取り付ける引っ掛け金具、１２は集塵エレメント搬送用取手、１３はケース７に設けられた集塵エレメント固定用板金１４と集塵エレメント１０を固定するネジ、１５はケースに未定され集塵エレメントの引っ掛け金具１１と係合するケース側取り付け爪である。４方向天井カセット形室内機本体は室内機本体の化粧パネルを室内側に露出させて、この化粧パネルの中央部に設けられた吸い込み口を囲むように４ヶ所に配設された吹出し口を有し、電気集塵エレメントの本体１０はこの吸い込み風路側の化粧パネルの背部に取り付けられる。なお図では集塵エレメントの表面の金網を除いた状態を示している。
【０００３】
室内機が運転されると、室内機本体に収納された送風機により吸い込み口を通って室内機に入った空気が熱交換器で熱交換され、冷(暖)気が吹出し風路を通って吹出し口から吹出される。この時、化粧パネルの背部のケース7に取付けられた集塵エレメント本体１０が、吸い込み口を通って室内機本体に入る空気に含まれる塵、埃などを除去し、清浄な空気となり室内機に入り、熱交換されて吹出される。
【０００４】
上記のように空気中の塵埃を除去するが、集塵エレメントにはその塵埃が堆積するため、取り外して清掃する必要がある。そのため、図８乃至図１１に示すように集塵エレメント１０をケース７取付ける構造は、片側は集塵エレメント１０にある金具の引っ掛け部１１をケース７に設けた爪１５により係合させると共に、反対側はネジ１３によりケース７に固定された板金１４によって取り付けられる。取付の際は、まず電気集塵エレメント１０側引っ掛け部１１をケースの爪１５に掛け、集塵エレメントを水平に持ち上げた後、ケース７に取付けられた板金１４と集塵エレメントを支える位置にあわせて、それをネジ１３を閉めることで固定する。逆に外す際はまずネジ１３を緩め、集塵エレメントを支えつつ板金１４から電気集塵エレメントを取り外しの際の位置に動かし、集塵エレメント１０の片側を支えつつ爪１５に引っかけられている引っ掛け部１１ずらして外し、集塵エレメント１０を室内機本体から取り外す。なお取り外した集塵エレメント１０は、取手１２を持って搬送する。すなわちこの構造では爪を変形させて係合部から脱着させていた。
【０００５】
【発明が解決しようとする課題】
脱着の際に、図９及び図１０の板金１４が取り外しの位置にある状態、すなわち集塵エレメントがケースに片側のみで支持される状態に必ずなるが、このとき図１０（ｂ）のように集塵エレメント１０はケース７上の弾性変形する爪１５にエレメント側引っ掛け部１１が掛っているのみので引っ掛けた状態では弾性変形しやすく、誤って集塵エレメントから手を放してしまったり、また軽い衝撃等により図１０に示す爪が外れて集塵エレメントが落下する危険性がある。さらにこの爪の取り付け状態を変形させない位置を確保するため集塵エレメントを一定の角度で傾けた姿勢を保つ必要があり、保持する人に重い集塵エレメントを支えるため無理な姿勢を強いるなどの問題があった。
【０００６】
また、集塵エレメント本体１０は電気集塵された埃や塵を洗浄する必要があり、このため持ち運び用の取手が保持しやすい個所に取り付けられ、部品数が多くなっている。
【０００７】
本発明は上記の問題点を解決するためになされたもので、空気調和装置本体から集塵エレメントを脱着する際に、落下の危険性がない状態で脱着が可能であり、信頼性の高い装置を得ることにある。又電気集塵エレメントの取り付け取り外しに力が要らず無理な姿勢を必要としない装置を得ることにある。また部品点数のより少ない電気集塵エレメントを搭載した電気集塵機能付空気調和装置を提供する。
【０００８】
【課題を解決するための手段】
本発明に係る請求項１記載の空気調和装置は、送風機を収納する空気調和装置本体と化粧パネルの間に設けられ塵埃を集塵する電気集塵器と、前記電気集塵器の少なくとも１側面に側面にほぼ平行に突出して固定され棒状又は溝状のエレメント取付け金具と、前記エレメント取付け金具に係合する溝状又は棒状の金具を設けると共に前記空調装置本体側に固定されたケース側取り付け部と、前記エレメント取付け金具のそばのエレメント側電極と、前記ケース側取り付け部のそばのケース側電極と、を備え、前記エレメント取付け金具を前記ケース側取り付け部に引っ掛けた後、前記エレメント取付け金具の反対側をネジで固定することにより、前記エレメント側電極と前記ケース側電極が接触して通電可能とするものである。
【０００９】
本発明に係る請求項２記載の空気調和装置は、棒状又は溝状のエレメント取付け金具とケース側取り付け部の溝状又は棒状の金具は、溝の中で棒が回動及び移動可能に設けられたものである。
【００１０】
本発明に係る請求項３記載の空気調和装置は、棒状又は溝状のエレメント取付け金具と溝状又は棒状のケース側取り付け部の金具は、溝の中で棒が方向変更可能に溝がＬ字状に設けられたものである。
【００１１】
本発明に係る請求項４記載の空気調和装置は、電気集塵器のエレメント取付金具が取手機能を兼ねているものである。
【００１２】
本発明に係る請求項５記載の空気調和装置は、棒状又は溝状のエレメント取付け金具と溝状又は棒状のケース側取り付け部の金具の係合する長さは、棒が溝とほぼ全長で係合するものである。
【００１３】
【発明の実施の形態】
実施の形態1．
以下この発明の実施形態を図１乃至７を用いて説明する。図１は本発明における空気調和機の側面図、図２は本発明の空気調和機のグリルを外した平面図である。１は吹出口３と吸込口４を形成する化粧パネル２と送風機２０の間にケース７に設けたケース側取付金具１９などにより電気集塵機６を取り付けた４方向カセット室内機、５は熱交換器２１を通過した空気を室内機吹出し方向９に導く風路、２４は吸込口４から吸い込み風向き８の空気を送風機２０が回転して集塵エレメント６を通過する空気を吸い込むベルマウス、２５は熱交換器２１からのドレン水を一時的に貯留するドレンパン、２２はドレンパン２５とベルマウス２４の隙間の一部に設けられ送風機のファンの回転や配線２３で接続された電気集塵器の通電動作を制御するマイコンが搭載された基板や電気部品を収納する電気品箱である。図において送風機２０の回転により吸込口４から吸い込まれた空気は化粧グリル２に取り付けられたフィルターにより大きな埃などは取り除かれ、電気集塵器６を通過する際さらにきれいになった空気は熱交換器２１で冷却されて冷房の空気又は温められて暖房の空気になり、風路５を通り吹出口３から所定の吹出し方向９へ吹出される。この吹出し方向９はリモコンなどの指令により、又はマイコンなどで設定された方向制御板により変更可能である。
【００１４】
図３はこの発明の電気集塵エレメントを説明する図で、１６は集塵エレメント本体、１７はエレメント側取付金具であって集塵エレメント１６を搬送する際の取手を兼用している。図４は集塵エレメントを空気調和機から脱着する説明図で、１８はエレメント固定用ネジである。図５、図６は集塵エレメントを空気調和機に取り付けた状態を説明する図である。図において１６はこの発明の集塵エレメント本体、１７は取手兼エレメント側取り付け金具、１８はエレメント固定用ネジ、１９はユニット側取り付け部で、集塵エレメント１６は室内機本体のケース７に対して、片側はエレメント側取付金具１７をケース側取り付け部１９のL形の溝の奥にはめ込む形で取り付け、エレメントの反対側は固定用ネジ１８によってエレメントとケースを固定する。
【００１５】
集塵エレメント１６を取り付ける際は、集塵エレメント胴体部を把持し、取手１７をケース側取り付け部１９の溝内に挿入して引っかける。次にエレメント１６のネジ穴側を持ち上げ、ネジ１８でエレメントとケースを固定する。ネジ固定をするためにエレメントの持ち上げ動作をするが、本取り付け構造においてはエレメントのほぼ幅いっぱいにも受けられた丸棒状のエレメント取付金具１７はほぼ同じ程度の長さのケース側取付金具１９の溝部に方向を変えて挿入されており、かつ、取り付け部が深く、エレメント側の取付金具１７すなわち集塵エレメントが手を離して落ちないようになっている。
【００１６】
集塵エレメント取り外しの際は、集塵エレメント胴体部を把持し、まずネジ１８を取り、エレメントの片側をケースから外す。次にエレメントの外した側を下に降ろし、エレメントを持ち上げて取手17をケース側取り付け部１９の溝の中で方向を変えて動かし外すことでエレメントをケースから取り外す。ここでネジ１８を外した際に誤って手を放してしまっても、17、19に示す取り付け構造によりエレメントが保持されるため、集塵エレメント落下の危険性が無くなる。この溝は丸棒状のエレメント取付金具１７がケース側取付金具１９の中で自由に回動出来、さらにずらす方向である取付金具方向へ動かすことが出来るように余裕を持たせてある。これによりスムースな取り付け取り外しの作業が可能になる。この棒は動かし、かつ手で持てるようであれば丸棒以外、例えば角状でも板状でも良いことは当然である。
【００１７】
取り外したエレメント１６は、取手１７を把持して容易に搬送が可能である。このように集塵エレメント１６は取付け用のケース７に一方はコの字形をしたエレメント側取付金具１７をL形の溝を持つケース側固定金具１９に引っ掛けて、もう一方は固定用ネジ１８により空気調和装置の吸い込み口側を覆うように取付けられ、集塵エレメント脱着の際にネジ１８が外れた状態、すなわち集塵エレメントがケースに片側のみで支持される状態においても、集塵エレメント側取付金具17がケース側取付金具１９の深部で支持されており、集塵エレメント側取付金具１７がケース側取付金具１９から外れ落下する危険性が少ない集塵エレメントの取り付け構造を設けた。
【００１８】
また電気集塵機能付空気調和装置の電気集塵器は、集塵エレメントの中にまず１段目で通る空気が通電によりイオン化してその中に含まれる塵埃に帯電させるイオン化部と、２段目で帯電した塵埃を引き寄せて集積するアース局を設けた集塵部があり、この集塵部には埃が運転中溜まりつづける。したがって例えば１回／月ごとに清掃が必要で、天井などに取り付けた空気調和機のグリルを外し電気集塵器を外して、かつ、洗浄液に漬けるため持ち運ぶ必要がある。この際ケース取付金具１７が取手機能を兼用しており、部品点数のより少ない電気集塵エレメントを提供できる。
【００１９】
電気品箱２２から電気集塵機６への配線２３は図２のごとく取付金具のそばでケース側電極と集塵エレメント側電極が接触して通電するように配置されている。この接触は集塵エレメント本体１６の位置がネジで固定されたときに通電可能に接触し、集塵エレメントを外すときに面接触部分が離れるようになっているので、エレメント除去時に配線を外す必要はなくエレメントの脱着が簡単に行える。
【００２０】
なお集塵エレメントの一方の端を引っ掛け金具とし、他方の端をネジで固定する構造にしたが、両方とも引っ掛け金具にしても良い。但しその場合、送風機の回転などの振動により集塵エレメントがずれたり、がたがた動くことを防止する手段、たとえはケースと集塵エレメントの間で凹凸を嵌め合いするなどして集塵エレメントがケースから動かないように、ケースとの位置を固定できるように保持する必要がある。これにより一方を手で支えなくとも両方とも引っ掛けておけば良く、その状態で位置をずらして位置決めの位置を探し固定するので非常に簡単に取り付けることが出来る。
【００２１】
又図６のようにエレメント側取り付け部１７の幅方向内寸はケースメント側取り付け部１９である溝の幅方向寸法とほぼ同程度にして集塵エレメントを確実に引っ掛けて置けるように強度を上げている。但し溝の幅方向寸法は棒の幅方向寸法の内寸より若干小さくしこの引っ掛け部分が取り付け取り外し時に棒の回転を邪魔しない程度に短くしてある。これにより、集塵エレメントの脱着時の動きを妨げることが無く、確実に保持できる。
【００２２】
図７に引っ掛け金具である棒と溝の位置を変えた別の説明図を示す。すなわち集塵エレメント１６に溝を形成する取付金具１７が設けられ、棒状金具がケース側取付金具１９として設けられている。このケース側取付金具１９は図７では風の流れる方向に突出する棒状金具としているが集塵エレメント１６に固定された溝状金具１７の溝に簡単に収められ、かつ、溝がこの棒の周りを自由に動ける関係であれば良い。これにより集塵エレメントを簡単に引っ掛けられ、ぶら下げることも、位置決めすることも簡単に行える。又エレメント側取付金具１７の溝はＬ字状を形成し確実にケース側取り付け具である棒を保持できると共に手で持ちやすいように角部にＲをつけている。このようにケース側取り付け具とエレメント側取り付け具の形状を逆にしても本発明の電気集塵器を簡単に空気調和機から組立除去でき、かつ、確実に保持できるという効果は同じである。すなわち数ｋｇという重量のある電気集塵器の扱いが余り力を必要としないで、かつ、作業者よりも高い位置の作業でも無理な作業とならず確実に安全に脱着作業を行えることは同一である。
【００２３】
以上のように、本発明の電気集塵機能付空気調和装置は、取付け用のケースに取付金具により空気調和装置の吸い込み口側を覆うように取付けられ、また落下の危険性が少ない状態で脱着が可能な集塵エレメントの取り付け構造を設ける。これにより天井埋め込み形空気調和装置と化粧パネルの間に集塵エレメント取付け用のケースを取付け、そのケースに集塵エレメントを脱着する際に、落下の危険性がより少ない状態で脱着が可能である。また、電気集塵機能付空気調和装置は、集塵エレメントのケース取付金具が取手機能を兼用しており、部品点数のより少ない集塵エレメントが得られる。
【００２４】
【発明の効果】
以上のように、本発明の空気調和装置は、送風機を収納する空気調和装置本体と化粧パネルの間に設けられ塵埃を集塵する電気集塵器と、前記電気集塵器の少なくとも１側面に側面にほぼ平行に突出して固定され棒状又は溝状のエレメント取付け金具と、前記エレメント取付け金具に係合する溝状又は棒状の金具を設けると共に前記空調装置本体側に固定されたケース側取り付け部と、前記エレメント取付け金具のそばのエレメント側電極と、前記ケース側取り付け部のそばのケース側電極と、を備え、前記エレメント取付け金具を前記ケース側取り付け部に引っ掛けた後、前記エレメント取付け金具の反対側をネジで固定することにより、前記エレメント側電極と前記ケース側電極が接触して通電可能とするので、空気調和装置から電気集塵器を脱着することが容易で安全に脱着作業を行えるとともに、集塵エレメントを外す時に通電の接触部分が離れるようになっているので配線を外す必要はなく脱着が簡単に行える。
【００２５】
又この発明の空気調和装置は、棒状又は溝状のエレメント取付け金具と溝状又は棒状のケース側取り付け部の金具は、溝の中で棒が回動及び移動可能に設けられたので、無理な力を使わないでも集塵エレメントの脱着を行うことが出来る。
【００２６】
又この発明の空気調和装置は、棒状又は溝状のエレメント取付け金具と溝状又は棒状のケース側取り付け部の金具は、溝の中で棒が方向変更可能に溝がＬ字状に設けられたので、安全な脱着作業が可能である。
【００２７】
又この発明の空気調和装置は、電気集塵器のエレメント取付金具が取手機能を兼ねているので、部品数の少ない製品が得られる。
【００２８】
又この発明の空気調和装置は、棒状又は溝状のエレメント取付け金具と溝状又は棒状のケース側取り付け部の金具の係合する長さは、棒が溝とほぼ全長で係合するので、重量の重い電気集塵器でも確実に保持できる。
【図面の簡単な説明】
【図１】  この発明の一例の4方向天井カセット型室内機の側面図である。
【図２】  この発明の一例の4方向天井カセット型室内機の化粧パネルを外した平面図である。
【図３】  この発明の一例の電気集塵器集塵エレメント単体を示す図である。
【図４】  この発明の一例の電気集塵器の空気調和装置への脱着を示す構造説明図である。
【図５】  この発明の一例の電気集塵器の空気調和装置への取り付けを示す構造説明図である。
【図６】  この発明の一例の電気集塵器の空気調和装置への取り付けを示す構造説明図である。
【図７】  この発明の他の例の電気集塵器の空気調和装置への取り付けを示す構造説明図である。
【図８】  従来の電気集塵器集塵エレメント単体を示す図である。。
【図９】  従来の電気集塵器の空気調和装置への取り付けを示す構造説明図である。
【図１０】  従来の電気集塵器の空気調和装置への脱着を示す構造説明図である。
【図１１】  従来の電気集塵器の空気調和装置への取り付けを示す構造説明図である。
【符号の説明】
１  ４方向天井カセット室内機、  ２  化粧パネル、  ３  吹出し口、  ４  吸い込み口、  ５  吹出し風路、  ６  集塵エレメント、  ７  集塵エレメント取り付けケース、  ８  室内機吸い込み風向、９  室内機吹出し風向、  １０  電気集塵エレメント本体、  １１  集塵エレメント側取り付け金具、  １２  エレメント搬送用取手、  13  エレメント固定用板金をケースに固定するネジ、  １４  エレメント固定用板金、  １５  従来のケース側取り付け金具(爪)、  １６  この発明の集塵エレメント本体、  １７  この発明のエレメント側取付金具兼搬送用取手、  １８  エレメント固定用ネジ、  １９  この発明のケース側取付金具、  ２０  送風機、  ２１  熱交換器、  ２２  電気品箱、  ２３  配線、  ２４  ベルマウス、  ２５  ドレンパン。
【図１】
0003740952.tif 000002
【図２】
0003740952.tif 000003
【図３】
0003740952.tif 000004
【図４】
0003740952.tif 000005
【図５】
0003740952.tif 000006
【図６】
0003740952.tif 000007
【図７】
0003740952.tif 000008
【図８】
0003740952.tif 000009
【図９】
0003740952.tif 000010
【図１０】
0003740952.tif 000011
【図１１】
0003740952.tif 000012